(57)【要約】      （修正有）【課題】バラ貨幣の情報と包装貨幣の情報とを一目で把握可能に表示するＰＯＳ端末を提供する。【解決手段】ＰＯＳ端末は釣銭機から、バラになった貨幣を収納するための第１収納部に収納されたバラ貨幣の枚数情報と、包装された貨幣を収納するための第２収納部に収納された包装貨幣の個数情報とを取得して、金種別に第１画像として表示するとともに、バラ貨幣の枚数及び梱包貨幣の個数が所定の閾値よりも多い又は少ない時に警告を表す第２画像を表示デバイスの一画面に表示させる。【選択図】図４
2019152938.tif 000002
【特許請求の範囲】
【請求項１】
表示デバイスと、
バラになった貨幣を収納するための第１収納部に収納されたバラ貨幣の枚数と、包装された貨幣を収納するための第２収納部に収納された包装貨幣の個数とを、金種別に前記表示デバイスの一画面に表示させる制御部と、
を具備する表示装置。
【請求項２】
前記制御部は、前記表示デバイスの一画面に、金種の情報と、前記第１収納部に収納された当該金種のバラ貨幣の枚数と、前記第２収納部に収納された当該金種の包装貨幣の個数とを、並べて表示させる、請求項１記載の表示装置。
【請求項３】
前記制御部は、前記第１収納部に収納された当該金種のバラ貨幣の枚数とともに、その枚数を表す第１画像と、前記枚数が所定の閾値枚数よりも多い又は少ないときには警告を表す第２画像とをさらに並べて表示させる、請求項２記載の表示装置。
【請求項４】
前記制御部は、前記第２収納部に収納された包装貨幣の個数を、当該個数が所定の閾値個数よりも少ないか否かによって異なる形態で表示させる、請求項１乃至３のうちいずれか１項記載の表示装置。
【請求項５】
前記制御部は、前記第１収納部に収納されない貨幣を保管する保管庫に貨幣が保管されているか否かを表す第３画像を、前記表示デバイスの一画面の一部に表示させる、請求項１乃至４のうちいずれか１項記載の表示装置。
【請求項６】
表示装置のコンピュータに、
バラになった貨幣を収納するための第１収納部に収納されたバラ貨幣の枚数と、包装された貨幣を収納するための第２収納部に収納された包装貨幣の個数とを、金種別に一画面に表示させるための表示データを作成する機能と、
前記表示データの一画面が表示されるように前記表示装置を制御する機能と、
を実現させるためのプログラム。
【発明の詳細な説明】
【技術分野】
【０００１】
本発明の実施形態は、釣銭機に関する情報を表示するための表示装置及びコンピュータを当該表示装置として機能させるためのプログラムに関する。
【背景技術】
【０００２】
近年、スーパーマーケット、コンビニエンスストア等では、ＰＯＳ（Point Of Sales）端末と連動して釣銭を自動的に払い出す釣銭機が広く活用されている。釣銭機は、バラになった貨幣を収納するための金庫を備えており、ＰＯＳ端末からの釣銭払出指令に応じて金庫から釣銭相当の貨幣を払い出す。このため、金庫内の貨幣が不足しないように、釣銭機の表示部に、金庫に収納されているバラ貨幣の枚数を金種別に表示する技術は既に知られている。
【０００３】
また、金庫内の貨幣が不足した場合には直ぐに補充できるように、通常、釣銭機が設置されている店舗会計場（レジ）には、同一金種の貨幣を包装した包装貨幣が用意されている。包装貨幣は、所定の収納庫に収納されている。従来、釣銭機の表示部に、収納庫に収納された包装貨幣の個数を金種毎に表示する技術も知られている。
【０００４】
しかしながら従来は、釣銭機の金庫に収納されているバラ貨幣の枚数と収納庫に収納されている包装貨幣の個数とを、表示部の画面を切り替えなければ確認することはできなかった。このため、店員が貨幣を補充するために収納庫を確認したならば包装貨幣が不足しており、補充が遅れる場合があった。
【先行技術文献】
【特許文献】
【０００５】
【特許文献１】特開２０１５−１１９８０８号公報
【発明の概要】
【発明が解決しようとする課題】
【０００６】
本発明の実施形態が解決しようとする課題は、バラ貨幣の情報と包装貨幣の情報とを一目で把握できる表示装置及びプログラムを提供しようとするものである。
【課題を解決するための手段】
【０００７】
一実施形態において、表示装置は、表示デバイスと、制御部とを備える。制御部は、バラになった貨幣を収納するための第１収納部に収納されたバラ貨幣の枚数と、包装された貨幣を収納するための第２収納部に収納された包装貨幣の個数とを、金種別に表示デバイスの一画面に表示させる。
【図面の簡単な説明】
【０００８】
【図１】一実施形態に係るＰＯＳ端末の外観構成を示す斜視図。
【図２】コンビネーションキーボードの一例を示す図。
【図３】ＰＯＰ端末の要部回路構成を示すブロック図。
【図４】コンビネーションキーボードのタッチパネルに表示される画面の一例を示す図。
【図５】図４の画面を表示させるためにＰＯＳ端末が備える主要なメモリエリアを示す模式図。
【図６】図４の画面を表示させるためにＰＯＳ端末のプロセッサが実行する釣銭機割込み処理の手順を示す流れ図。
【図７】図４の画面を表示させるためにＰＯＳ端末のプロセッサが実行するデバイス割込み処理の手順を示す流れ図。
【図８】図４の画面を表示させるためにＰＯＳ端末のプロセッサが実行するデバイス割込み処理の手順を示す流れ図。
【発明を実施するための形態】
【０００９】
以下、バラ貨幣の情報と包装貨幣の情報とを一目で把握できる表示装置の実施形態について、図面を用いて説明する。  
なお、本実施形態では、商品販売データ処理装置の一態様であるＰＯＳ端末に備えられた表示装置を例示する。
【００１０】
図１は、本実施形態に係るＰＯＳ端末１０の外観構成を示す斜視図である。ＰＯＳ端末１０は、オペレータ用のタッチパネル１１、コンビネーションキーボード１２、プリンタ１３、客用ディスプレイ１４及び釣銭機１５を備えている。ＰＯＳ端末１０は、既定のハウジングに対して、タッチパネル１１、コンビネーションキーボード１２、プリンタ１３及び客用ディスプレイ１４が脱着可能となるように構成されている。このため、ＰＯＳ端末１０は、タッチパネル１１、コンビネーションキーボード１２、プリンタ１３及び客用ディスプレイ１４を個々に選択して実装させることができる。
【００１１】
コンビネーションキーボード１２は、図１及び図２に示すように、キーボード１２Ａと、タッチパネル１２Ｂと、カードリーダ１２Ｃとを一体化したものである。コンビネーションキーボード１２は、例えば店内のコミュニケーションツールとして使用される。あるいは、コンビネーションキーボード１２は、タッチパネル１１では表示しきれない補足情報をタッチパネル１２Ｂに表示させる。なお、コンビネーションキーボード１２としては、カードリーダ１２Ｃを実装しない形態のものであってもよい。また、タッチパネル１２Ｂではなくディスプレイを実装した形態のものであってもよい。
【００１２】
釣銭機１５は、紙幣釣銭機１５Ａと、硬貨釣銭機１５Ｂと、棒金ドロワ１５Ｃとを一体化したものである。なお、釣銭機１５は、紙幣釣銭機１５Ａを実装しない形態のものであってもよい。
【００１３】
紙幣釣銭機１５Ａは、紙幣投入口１５Ａ１及び紙幣排出口１５Ａ２を備えている。また紙幣釣銭機１５Ａは、図示しないが、金庫と回収カセットとを備えている。金庫は、国内で発行されている紙幣（１００００円紙幣、５０００円紙幣、２０００円紙幣、１０００円紙幣）をバラで金種別に収納するように構成されている。回収カセットは、金庫に収納されなかった紙幣を一括して収納するように構成されている。紙幣釣銭機１５Ａは、紙幣投入口１５Ａ１から投入された紙幣のうち特定の向きに入金された紙幣を金種別に選別して金庫に収納し、特定の向き以外で入金された紙幣を回収カセットに収納する。また紙幣釣銭機１５Ａは、ＰＯＳ端末１０からの払出指令に応じて、金庫に収納されている紙幣を紙幣排出口１５Ａ２へと払い出す。
【００１４】
硬貨釣銭機１５Ｂは、硬貨投入口１５Ｂ１及び硬貨排出口１５Ｂ２を備えている。また硬貨釣銭機１５Ｂは、図示しないが、金庫と回収袋とを備えている。金庫は、国内で発行されている硬貨（５００円硬貨、１００円硬貨、５０円硬貨、１０円硬貨、５円硬貨、１円硬貨）をバラで金種別に収納するように構成されている。回収袋は、金庫に収納されなかった硬貨を一括して収納するように構成されている。硬貨釣銭機１５Ｂは、硬貨投入口１５Ｂ１から投入された硬貨を金種別に選別して金庫に収納し、金庫からオーバーフローした硬貨を回収袋に収納する。また硬貨釣銭機１５Ｂは、ＰＯＳ端末１０からの払出指令に応じて、金庫に収納されている硬貨を硬貨排出口１５Ｂ２へと払い出す。
【００１５】
棒金ドロワ１５Ｃは、図示しないが、棒金用の収納庫を備えている。収納庫は、複数枚の同一金種の硬貨をまとめて棒状に包装した包装貨幣、いわゆる棒金を金種別に収納するように構成されている。収納庫に収納された棒金は、主に釣銭補充用として利用される。
【００１６】
図３は、ＰＯＰ端末１０の要部回路構成を示すブロック図である。ＰＯＰ端末１０は、前述したタッチパネル１１、コンビネーションキーボード１２、プリンタ１３、客用ディスプレイ１４、釣銭機１５以外に、プロセッサ１０１、メインメモリ１０２、補助記憶デバイス１０３、スキャナインターフェース１０４、通信ユニット１０５、釣銭機インターフェース１０６、デバイスインターフェース１０７及びシステム伝送路１０８を備えている。システム伝送路１０８は、アドレスバス、データバス、制御信号線等を含む。ＰＯＳ端末１０は、システム伝送路１０８に、プロセッサ１０１、メインメモリ１０２、補助記憶デバイス１０３、スキャナインターフェース１０４、通信ユニット１０５、釣銭機インターフェース１０６、タッチパネル１１、プリンタ１３、客用ディスプレイ１４及びデバイスインターフェース１０７を直接または信号入出力回路を介して接続する。かくしてＰＯＳ端末１０は、プロセッサ１０１、メインメモリ１０２及び補助記憶デバイス１０３と、これらを接続するシステム伝送路１０８とによってコンピュータを構成する。
【００１７】
プロセッサ１０１は、上記コンピュータの中枢部分に相当する。プロセッサ１０１は、オペレーティングシステムやアプリケーションプログラムに従って、ＰＯＳ端末１０としての各種の機能を実現するべく各部を制御する。
【００１８】
メインメモリ１０２は、上記コンピュータの主記憶部分に相当する。メインメモリ１０２は、不揮発性のメモリ領域と揮発性のメモリ領域とを含む。メインメモリ１０２は、不揮発性のメモリ領域ではオペレーティングシステムやアプリケーションプログラムを記憶する。またメインメモリ１０２は、プロセッサ１０１が各部を制御するための処理を実行する上で必要なデータを不揮発性または揮発性のメモリ領域で記憶する場合もある。メインメモリ１０２は、揮発性のメモリ領域を、プロセッサ１０１によってデータが適宜書き換えられるワークエリアとして使用する。
【００１９】
補助記憶デバイス１０３は、上記コンピュータの補助記憶部分に相当する。例えばＥＥＰＲＯＭ（Electric Erasable Programmable Read-Only Memory）、ＨＤＤ（Hard Disc Drive）、あるいはＳＳＤ（Solid State Drive）等が補助記憶デバイス１０３として使用される。補助記憶デバイス１０３は、プロセッサ１０１が各種の処理を行う上で使用するデータや、プロセッサ１０１での処理によって生成されたデータを保存する。補助記憶デバイス１０３は、上記のアプリケーションプログラムを記憶する場合もある。
【００２０】
スキャナインターフェース１０４は、バーコード、二次元データコード等のコードシンボルを光学的に読み取るためのスキャナが接続される。スキャナインターフェース１０４は、スキャナで読み取られたコードシンボルのデータ信号を取込み、プロセッサ１０１へと与える。スキャナは、例えば定置式のスキャナである。スキャナは、例えばハンディタイプのスキャナであってもよい。
【００２１】
通信ユニット１０５は、ＬＡＮ（Local Area Network）等のネットワークを介して接続される外部機器との間のデータ通信を行う。外部機器は、例えばサーバである。外部機器は、他のＰＯＳ端末であってもよい。
【００２２】
釣銭機インターフェース１０６は、通信ケーブルを介して釣銭機１５を接続する。釣銭機インターフェース１０６は、釣銭機１５を構成する紙幣釣銭機１５Ａ、硬貨釣銭機１５Ｂ及び棒金ドロワ１５Ｃとの間でそれぞれデータ信号を授受する。
【００２３】
デバイスインターフェース１０７は、通信ケーブルを介してコンビネーションキーボード１２を接続する。デバイスインターフェース１０７は、コンビネーションキーボード１２を構成するキーボード１２Ａ、タッチパネル１２Ｂ及びカードリーダ１２Ｃとの間でそれぞれデータ信号を授受する。
【００２４】
かかる構成のＰＯＳ端末１０は、買上商品の登録処理及び決済処理の各機能を備える。登録処理は、買物客が買い上げる商品の販売データを登録するための処理である。決済処理は、買上商品の販売データに基づき買物客との取引を決済するための処理である。これらの登録処理及び決済処理は、既存のＰＯＳ端末１０において周知の処理であるので、ここでの説明は省略する。
【００２５】
さて、本実施形態のＰＯＳ端末１０は、タッチパネル１２Ｂに表示させる補足情報として、釣銭機１５の状態を示す画像Ｐ（図４を参照）を表示する。
【００２６】
図４は、画像Ｐの一表示例である。画像Ｐは、在高領域Ａ１、残量領域Ａ２、カセット領域Ａ３、オーバーフロー領域Ａ４及び外部保管領域Ａ５で構成される。そして在高領域Ａ１には、紙幣釣銭機１５Ａの金庫に収納されている紙幣と硬貨釣銭機１５Ｂの金庫に収納されている硬貨との合計金額が表示される。残量領域Ａ２には、紙幣釣銭機１５Ａの金庫にバラで収納されている紙幣の枚数と、硬貨釣銭機１５Ｂの金庫にバラで収納されている硬貨の枚数と、棒金ドロワ１５Ｃの収納庫に包装されて収納されている棒金の本数とが、それぞれ金種別に一覧で表示される。カセット領域Ａ３には、回収カセットに収納されている紙幣の枚数が表示される。オーバーフロー領域Ａ４には、回収袋に収納されている硬貨の枚数が表示される。
【００２７】
外部保管領域Ａ５には、保管庫に貨幣が保管されているか否かを通知するためのボタン画像Ｂ１又はボタン画像Ｂ２が表示される。保管庫は、ＰＯＳ端末１０が置かれている店舗会計場、いわゆるレジに用意されている。保管庫は、国内で発行されている紙幣ではあるが、紙幣釣銭機１５Ａには入金できない紙幣を保管する。例えば一部が切れていたり欠損していたりするものの通貨としては有効な紙幣が該当する。また保管庫は、国内で発行されている硬貨ではあるが、硬貨釣銭機１５Ｂには入金できない硬貨を保管する。例えば折れ曲がっていたり摩耗したりしているものの通貨としては有効な硬貨が該当する。記念硬貨等も保管庫で保管される。
【００２８】
ボタン画像Ｂ１は、保管庫に貨幣が保管されていないことを表す画像である。すなわち「なし」というテキストと、空のチェックボックスとが表示されている。ボタン画像Ｂ２は、保管庫に貨幣が保管されていることを表す画像である。すなわち「あり」というテキストと、チェックの入ったチェックボックスとが表示されている。
【００２９】
残量領域Ａ２は、金種領域Ａ２１と、釣銭機領域Ａ２２と、棒金領域Ａ２３とに区分される。さらに金種領域Ａ２１、釣銭機領域Ａ２２及び棒金領域Ａ２３は、それぞれ金種の数だけ区分される。そして残量領域Ａ２は、同一金種の情報が、画面に向かって横方向に一列に並べて表示されるように構成されている。
【００３０】
金種領域Ａ２１に表示される情報は、金種を示すテキストである。釣銭機領域Ａ２２に表示される情報は、金庫に収納されている貨幣の枚数、いわゆる残量を示すテキストＧ１と、収納容量に対する残量を示すグラフＧ２と、アイコンＧ３１，Ｇ３２，Ｇ３３とである。アイコンＧ３１は、残量が少ないために第１段階の補充を促すためのものである。アイコンＧ３２は、残量がさらに少ないために第２段階の補充を促すためのものである。アイコンＧ３３は、残量が多いために回収を促すためのものである。棒金領域Ａ２３に表示される情報は、収納庫に収納されている棒金の個数を示すテキストである。また棒金領域Ａ２３は、棒金の個数が少ないために補充を促す金種については、他の金種と比較して背景色を異ならせる。なお、背景色を異ならせるのではなく、テキストの色を異ならせてもよい。
【００３１】
ＰＯＳ端末１０は、画像Ｐをタッチパネル１２Ｂに表示させるために、図５に示す記憶領域５１，５２，５３，５４，５５を備えている。例えばＰＯＳ端末１０は、メインメモリ１０２における揮発性領域の一部を記憶領域５１，５２，５３，５４，５５とする。ＰＯＳ端末１０は、記憶領域５１，５２，５３，５４，５５の少なくとも一部を、補助記憶デバイス１０３に形成してもよい。
【００３２】
記憶領域５１は、金種別に枚数、第１閾値、第２閾値、第３閾値及びステータスの各情報を記憶するための領域を有する。金種の領域には、紙幣釣銭機１５Ａに収納されている紙幣の金種を表す情報と、硬貨釣銭機１５Ｂに収納されている硬貨の金種を表す情報とが記憶される。枚数の領域には、対応する金種に関して、紙幣釣銭機１５Ａまたは硬貨釣銭機１５Ｂに収納されている紙幣又は硬貨の枚数Ｎが記憶される。第１閾値の領域には、対応する金種に関して、第２段階の補充を必要とする収納枚数の最大値が第１閾値Ｓ１として記憶される。第２閾値の領域には、対応する金種に関して、第１段階の補充を必要とする収納枚数の最大値が第２閾値Ｓ２として記憶される。したがって、第１閾値Ｓ１は、第２閾値Ｓ２よりも小さな値となる。第３閾値の領域には、対応する金種に関して、回収を必要とする収納枚数の最小値が第３閾値Ｓ３として記憶される。したがって、第３閾値Ｓ３は、第２閾値Ｓ２よりも十分に大きい値となる。ステータスの領域には、対応する金種の紙幣又は硬貨に関して紙幣釣銭機１５Ａ又は硬貨釣銭機１５Ｂでの状態を示す情報、すなわちステータスＳＴｘが記憶される。具体的には、収納枚数Ｎが第２段階の補充を必要とする金種に対してはステータスＳＴｘ＝１が記憶される。収納枚数Ｎが第１段階の補充を必要とする金種に対してはステータスＳＴｘ＝２が記憶される。収納枚数Ｎが回収を必要とする金種に対してはステータスＳＴｘ＝３が記憶される。収納枚数Ｎが上記のいずれにも該当しない金種に対してはステータスＳＴｘ＝０が記憶される。
【００３３】
記憶領域５２は、金種別に本数、第４閾値及びステータスの各情報を記憶するための領域を有する。金種の領域には、棒金ドロワ１５Ｃに収納されている棒金の金種を表す情報が記憶される。本数の領域には、対応する金種に関して、棒金ドロワ１５Ｃの収納庫に収納されている棒金の個数（収納本数Ｍ）が記憶される。第４閾値の領域には、対応する金種に関して、補充を必要とする収納本数の最大値が第４閾値Ｓ４として記憶される。ステータスの領域には、対応する金種の棒金に関して棒金ドロワ１５Ｃでの状態を示す情報、すなわちステータスＳＴｙが記憶される。具体的には、収納本数Ｍが補充を必要とする金種に対してはステータスＳＴｙ＝４が記憶される。収納本数Ｍが補充を必要としない金種に対してはステータスＳＴｙ＝０が記憶される。
【００３４】
記憶領域５３は、外部保管フラグＦを記憶するための領域を有する。外部保管フラグＦは、保管庫に貨幣が保管されているか否かを識別するための１ビットデータである。本実施形態では、保管庫に貨幣が保管されているときの外部保管フラグＦを“１”とし、保管されていないときの外部保管フラグＦを“０”とする。
【００３５】
記憶領域５４は、回収カセットに収納されている紙幣の枚数を記憶するための領域である。記憶領域５５は、回収袋に収納されている硬貨の枚数を記憶するための領域である。
【００３６】
ＰＯＳ端末１０は、画像Ｐをタッチパネル１２Ｂに表示させるために、取得部と制御部とを備えている。取得部は、釣銭機１５を構成する紙幣釣銭機１５Ａ、硬貨釣銭機１５Ｂ及び棒金ドロワ１５Ｃから、画像Ｐを表示させるために必要な情報を取得する。制御部は、取得部を介して取得した情報を基に画像データを作成し、画像Ｐを表示デバイスであるタッチパネル１２Ｂの一画面に表示させる。
【００３７】
因みに、紙幣釣銭機１５Ａから取得する情報は、金庫に収納されている紙幣の金種別枚数データと、回収カセットに収納されている紙幣の枚数データである。紙幣釣銭機１５Ａは、金庫に収納されている紙幣の枚数を金種別に計数する機能を有している。紙幣釣銭機１５Ａのコントローラは、いずれかの金種の収納枚数が変化する毎に、その変化した金種と変化後の収納枚数とを示すデータ信号をＰＯＳ端末１０へと送信する。このときコントローラは、データ信号に、回収カセットに収納されている紙幣の枚数データを含ませる。
【００３８】
硬貨釣銭機１５Ｂから取得する情報は、金庫に収納されている硬貨の金種別枚数データと、回収袋に収納されている硬貨の枚数データである。硬貨釣銭機１５Ｂは、金庫に収納されている硬貨の枚数を金種別に計数する機能を有している。硬貨釣銭機１５Ｂのコントローラは、いずれかの金種の収納枚数が変化する毎に、その変化した金種と変化後の収納枚数とを示すデータ信号をＰＯＳ端末１０へと送信する。このときコントローラは、データ信号に、回収袋に収納されている硬貨の枚数データを含ませる。
【００３９】
棒金ドロワ１５Ｃから取得する情報は、収納庫に収納されている棒金の金種別本数データである。棒金ドロワ１５Ｃは、収納庫に収納されている棒金の本数を金種別に計数する機能を有している。棒金ドロワ１５Ｃのコントローラは、いずれかの金種の収納本数が変化する毎に、その変化した金種と変化後の収納本数とを示すデータ信号をＰＯＳ端末１０へと送信する。
【００４０】
紙幣釣銭機１５Ａ、硬貨釣銭機１５Ｂ及び棒金ドロワ１５ＣからＰＯＳ端末１０へと送信されたデータ信号は、釣銭機インターフェース１０６で受信される。ＰＯＳ端末１０のプロセッサ１０１は、紙幣釣銭機１５Ａ、硬貨釣銭機１５Ｂ又は棒金ドロワ１５Ｃからのデータ信号を釣銭機インターフェース１０６で受信する毎に、プログラムに従って、図６の流れ図に示す手順の釣銭機割込み処理を実行する。
【００４１】
すなわちプロセッサ１０１は、釣銭機割込み処理を開始すると、先ず、Ａｃｔ１として釣銭機インターフェース１０６で受信したデータ信号が棒金ドロワ１５Ｃからのものか否かを判定する。棒金ドロワ１５Ｃ以外、すなわち紙幣釣銭機１５Ａ又は硬貨釣銭機１５Ｂからのデータ信号を受信した場合には（Ａｃｔ１、ＮＯ）、プロセッサ１０１は、Ａｃｔ２としてそのデータ信号に含まれる金種の情報を識別する。そしてプロセッサ１０１は、Ａｃｔ３として記憶領域５１の該当する金種に対応した収納枚数Ｎを、そのデータ信号に含まれる変化後の収納枚数に更新する。
【００４２】
次いで、プロセッサ１０１は、Ａｃｔ４として更新後の収納枚数Ｎが第１閾値Ｓ１を下回っているか否かを判定する。収納枚数Ｎが第１閾値Ｓ１を下回っていない場合（Ａｃｔ４、ＮＯ）、プロセッサ１０１は、Ａｃｔ５として収納枚数Ｎが第２閾値Ｓ２を下回っているか否かを判定する。収納枚数Ｎが、第２閾値Ｓ２を下回っていない場合（Ａｃｔ５、ＮＯ）、プロセッサ１０１は、Ａｃｔ６として収納枚数Ｎが第３閾値Ｓ２を上回っているか否かを判定する。収納枚数Ｎが第３閾値Ｓ２を上回っていない場合、プロセッサ１０１は、Ａｃｔ７として記憶領域５１の該当金種に対応したステータスＳＴｘを“０”とする。
【００４３】
これに対し、収納枚数Ｎが第１閾値Ｓ１よりも下回っている場合には（Ａｃｔ４、ＹＥＳ）、プロセッサ１０１は、Ａｃｔ８として記憶領域５１の該当金種に対応したステータスＳＴｘを“１”とする。また、収納枚数Ｎが第２閾値Ｓ２よりも下回っている場合には（Ａｃｔ５、ＹＥＳ）、プロセッサ１０１は、Ａｃｔ９として記憶領域５１の該当金種に対応したステータスＳＴｘを“２”とする。また、収納枚数Ｎが第３閾値Ｓ３を上回っている場合には（Ａｃｔ６、ＹＥＳ）、プロセッサ１０１は、Ａｃｔ１０として記憶領域５１の該当金種に対応したステータスＳＴｘを“３”とする。なおプロセッサ１０１は、Ａｃｔ７乃至Ａｃｔ１０において、データ信号に回収カセットの枚数データが含まれる場合には、記憶領域５４の値をその枚数データに書き換える。同様にプロセッサ１０１は、Ａｃｔ７乃至Ａｃｔ１０において、データ信号に回収袋の枚数データが含まれる場合には、記憶領域５５の値をその枚数データに書き換える。
【００４４】
したがってステータスＳＴｘは、収納枚数が第２閾値Ｓ２以上で第３閾値Ｓ３以下の場合には“０”、収納枚数が第１閾値Ｓ１未満の場合には“１”、収納枚数が第２閾値Ｓ２未満で第１閾値Ｓ１以上の場合には“２”、収納枚数が第３閾値Ｓ３よりも多い場合には“３”となる。また、紙幣釣銭機１５Ａの金庫に収納されている紙幣の枚数に変化が生じる毎に、記憶領域５４の値、すなわちカセット枚数が、回収カセットに収納されている紙幣の枚数となる。同様に、硬貨釣銭機１５Ｂの金庫に収納されている硬貨の枚数に変化が生じる毎に、記憶領域５５の値、すなわちオーバーフロー枚数が、回収袋に収納されている硬貨の枚数となる。
【００４５】
一方、棒金ドロワ１５Ｃからのデータ信号を釣銭機インターフェース１０６で受信した場合には（Ａｃｔ１、ＹＥＳ）、プロセッサ１０１は、Ａｃｔ１１としてそのデータ信号に含まれる金種の情報を識別する。そしてプロセッサ１０１は、Ａｃｔ１２として記憶領域５２の該当する金種に対応した収納本数Ｍを、そのデータ信号に含まれる変化後の収納本数に更新する。
【００４６】
次いで、プロセッサ１０１は、Ａｃｔ１３として更新後の収納本数Ｍが第４閾値Ｓ４を下回っているか否かを判定する。収納本数Ｍが第４閾値Ｓ４を下回っていない場合（Ａｃｔ１３、ＮＯ）、プロセッサ１０１は、Ａｃｔ１４として記憶領域５２の該当する金種に対応したステータスＳＴｙを“０”とする。これに対し、収納本数Ｍが第４閾値Ｓ４を下回っている場合には（Ａｃｔ１３、ＹＥＳ）、プロセッサ１０１は、Ａｃｔ１５としてステータスＳＴｙを“４”とする。
【００４７】
したがってステータスＳＴｙは、収納本数が第４閾値Ｓ４以上の場合には“０”、収納枚数が第４閾値Ｓ４未満の場合には“４”となる。
【００４８】
Ａｃｔ７〜Ａｃｔ１０、Ａｃｔ１４又はＡｃｔ１５の処理により、データ信号に含まれる金種のステータスＳＴｘ又はＳＴｙが決定したならば、プロセッサ１０１は、Ａｃｔ１６として画像Ｐの表示データを作成する。具体的にはプロセッサ１０１は、金種領域Ａ２１に対しては、記憶領域５１の金種データをセットする。釣銭機領域Ａ２２に対しては、記憶領域５１の枚数データを金種毎にセットする。またプロセッサ１０１は、収納容量に対する残量を示すグラフＧ２を作成し、セットする。収納容量は予め設定されている。さらにプロセッサ１０１は、ステータスＳＴｘが“１”の金種に対してはアイコンＧ３２をセットする。ステータスＳＴｘが“２”の金種に対してはアイコンＧ３１をセットする。ステータスＳＴｘが“３”の金種に対してはアイコンＧ３３をセットする。ステータスＳＴが“０”の金種に対してはアイコンをセットしない。プロセッサ１０１は、棒金領域Ａ２３に対しては、記憶領域５２の本数データを金種毎にセットする。またプロセッサ１０１は、ステータスＳＴｙが“４”の金種に対しては、本数領域の背景色を他の金種の本数領域と異ならせる。プロセッサ１０１は、外部保管領域Ａ５に対しては、外部保管フラグＦが“０”に設定されている場合にはボタン画像Ｂ１をセットする。外部保管フラグＦが“１”に設定されている場合にはボタン画像Ｂ２をセットする。
【００４９】
こうして、画像データを作成し終えたならば、プロセッサ１０１は、Ａｃｔ１７としてその画像データを基にコンビネーションキーボード１２のタッチパネル１２Ｂに画像Ｐが表示されるように、デバイスインターフェース１０７を制御する。この制御によりデバイスインターフェース１０７からタッチパネル１２Ｂに画像データが送信され、タッチパネル１２Ｂに画像Ｐが表示される。
【００５０】
ここにプロセッサ１０１を主体とするＰＯＳ端末１０のコンピュータは、釣銭機インターフェース１０６と協働して取得部を構成する。また、同コンピュータは、デバイスインターフェース１０７と協働して制御部を構成する。
【００５１】
次に、貨幣の外部保管について詳細に説明する。ＰＯＳ端末１０を操作する店員は、客から預かった紙幣又は硬貨の中に紙幣釣銭機１５Ａ又は硬貨釣銭機１５Ｂに入金できない貨幣があった場合、その貨幣を保管庫に保管する。このとき店員は、その貨幣の金額を預かり金の一部としてＰＯＳ端末１０に手入力する必要がある。このため、コンビネーションキーボード１２のキーボード１２Ａには、図２に示すように、手入力キーＫ１とテンキーＫ２とが含まれている。紙幣釣銭機１５Ａ又は硬貨釣銭機１５Ｂに入金できない貨幣を保管庫に保管した店員は、手入力キーＫ１を入力し、続いてテンキーＫ２を操作して預かり金額を置数する。
【００５２】
また、客から預かった貨幣以外の貨幣を保管庫に保管する場合もあり得る。このような場合、店員は、画像Ｐの外部保管領域Ａ５を確認する。そして外部保管領域Ａ５にボタン画像Ｂ１が表示されている場合、店員は、このボタン画像Ｂ１にタッチする。外部保管領域Ａ５にボタン画像Ｂ２が表示されている場合には、店員は、このボタン画像Ｂ２にタッチしない。
【００５３】
一方、保管庫に保管されている貨幣は、適宜、店員によって回収される。このとき店員は、画像Ｐの外部保管領域Ａ５を確認する。そして外部保管領域Ａ５にボタン画像Ｂ２が表示されている場合、店員は、このボタン画像Ｂ２にタッチする。外部保管領域Ａ５にボタン画像Ｂ１が表示されている場合には、店員は、このボタン画像Ｂ１にタッチしない。
【００５４】
コンビネーションキーボード１２において、キーボード１２Ａのキーが入力されると、キーボード１２Ａから割込み信号がＰＯＳ端末１０へと送信される。また、タッチパネル１２Ｂにおいて、外部保管領域Ａ５のボタン画像Ｂ１又はボタン画像Ｂ２がタッチされると、タッチパネル１２Ｂから割込み信号がＰＯＳ端末１０へと送信される。これらの割込み信号は、デバイスインターフェース１０７で受信される。ＰＯＳ端末１０のプロセッサ１０１は、デバイスインターフェース１０７で割込み信号を受信する毎に、プログラムに従って、図７及び図８の流れ図に示す手順のデバイス割込み処理を実行する。
【００５５】
すなわちプロセッサ１０１は、デバイス割込み処理を開始すると、Ａｃｔ２１として手入力キーＫ１の入力による割込み信号を受信したか否かを判定する。手入力キーＫ１の入力による割込み信号を受信した場合（Ａｃｔ２１、ＹＥＳ）、プロセッサ１０１は、Ａｃｔ２２としてテンキーＫ２により金額データが入力（置数）されるのを待ち受ける。金額データが入力されたならば（Ａｃｔ２２、ＹＥＳ）、プロセッサ１０１は、Ａｃｔ２３としてその入力金額をメインメモリ１０２のワークエリアＡに記憶する。
【００５６】
次いでプロセッサ１０１は、Ａｃｔ２４としてワークエリアＡの金額が取引の決済金額に対して不足しているか否かを判定する。決済金額は、買上商品の登録処理によって算出されている。ワークエリアＡの金額が取引の決済金額に対して不足している場合（Ａｃｔ２３、ＹＥＳ）、プロセッサ１０１は、紙幣釣銭機１５Ａ又は硬貨釣銭機１５Ｂからの入金データを待ち受ける。そして、釣銭機インターフェース１０６を介して入金データを受信したならば、その入金額をワークエリアＢに記憶する。
【００５７】
プロセッサ１０１は、Ａｃｔ２７としてワークエリアＡの入力金額にワークエリアＢの入金額を加算する。そしてプロセッサ１０１は、Ａｃｔ２４に戻る。すなわちプロセッサ１０１は、ワークエリアＡの金額が取引の決済金額に対して不足しているか否かを判定する。不足している場合（Ａｃｔ２３、ＹＥＳ）、プロセッサ１０１は、Ａｃｔ２５乃至Ａｃｔ２７の処理を再度実行する。
【００５８】
ワークエリアＡの金額が取引の決済金額に対して不足していない場合（Ａｃｔ２４、ＮＯ）、プロセッサ１０１は、Ａｃｔ２８としてワークエリアＡの金額から決済金額を減算して釣銭額を算出する。そしてプロセッサ１０１は、Ａｃｔ２９としてその釣銭額相当の紙幣又は硬貨の払出指令を釣銭機インターフェース１０６から出力するように制御する。またプロセッサ１０１は、Ａｃｔ３０としてレシートの発行を制御する。この制御により、紙幣釣銭機１５Ａ又は硬貨釣銭機１５Ｂから釣銭額相当の貨幣が払い出される。また、プリンタ１３によってレシートが印字される。
【００５９】
プロセッサ１０１は、Ａｃｔ３１としてワークエリアＡ及びワークエリアＢをクリアする。次いでプロセッサ１０１は、Ａｃｔ３２として記憶領域５３の外部保管フラグＦを調べる。ここで、外部保管フラグＦが“０”であった場合（Ａｃｔ３２、ＹＥＳ）、プロセッサ１０１は、Ａｃｔ３３として外部保管フラグＦを“１”に設定する。そしてプロセッサ１０１は、Ａｃｔ３４及びＡｃｔ３５として、前述したＡｃｔ１６及びＡｃｔ１７の処理を実行する。したがって、画像Ｐの外部保管領域Ａ５に表示されていた情報がボタン画像Ｂ１からボタン画像Ｂ２に更新される。すなわち、保管庫に貨幣が保管されていることが、ボタン画像Ｂ２によって表される。
【００６０】
プロセッサ１０１は、Ａｃｔ３６として貨幣が外部保管されたことを示す情報をジャーナルに記録するように制御する。情報は、例えば「紙幣又は硬貨が保管庫に保管されました」というテキストであってもよい。このとき、現在の日時を併せて記録するとよい。ジャーナルへの記録は、電子ジャーナルに対して電子的に行ってもよいし、ジャーナル用紙への印字によって行ってもよい。
【００６１】
一方、外部保管フラグＦが“１”であった場合には（Ａｃｔ３２、ＮＯ）、プロセッサ１０１は、Ａｃｔ３３乃至Ａｃｔ３５の処理をスキップして、Ａｃｔ３６へと進む。そしてプロセッサ１０１は、貨幣が外部保管されたことを示す情報をジャーナルに記録するように制御する。
【００６２】
Ａｃｔ２１において、割込み信号が手入力キーＫ１の入力による割込み信号でない場合（Ａｃｔ２１、ＮＯ）、プロセッサ１０１は、Ａｃｔ４１としてボタン画像Ｂ１又はボタン画像Ｂ２がタッチされたことによる割込み信号をタッチパネル１２Ｂから受信したか否かを判定する。タッチパネル１２Ｂから当該割込み信号を受信した場合（Ａｃｔ４１、ＹＥＳ）、プロセッサ１０１は、図８のＡｃｔ４２へと進む。
【００６３】
すなわちプロセッサ１０１は、Ａｃｔ４２として記憶領域５３の外部保管フラグＦを調べる。ここで、外部保管フラグＦが“０”であった場合（Ａｃｔ４２、ＹＥＳ）、プロセッサ１０１は、Ａｃｔ４３として外部保管フラグＦを“１”に設定する。そしてプロセッサ１０１は、Ａｃｔ４４及びＡｃｔ４５として、前述したＡｃｔ１６及びＡｃｔ１７の処理を実行する。したがって、画像Ｐの外部保管領域Ａ５に表示されていた情報がボタン画像Ｂ１からボタン画像Ｂ２に更新される。すなわち、保管庫に貨幣が保管されていることが、ボタン画像Ｂ２によって表される。またプロセッサ１０１は、Ａｃｔ４６として貨幣が外部保管されたことを示す情報をジャーナルに記録するように制御する。
【００６４】
一方、外部保管フラグＦが“１”であった場合には（Ａｃｔ４２、ＮＯ）、プロセッサ１０１は、Ａｃｔ４７として外部保管フラグＦを“０”に設定する。そしてプロセッサ１０１は、Ａｃｔ４８及びＡｃｔ４９として、前述したＡｃｔ１６及びＡｃｔ１７の処理を実行する。したがって、画像Ｐの外部保管領域Ａ５に表示されていた情報がボタン画像Ｂ２からボタン画像Ｂ１に更新される。すなわち、保管庫に貨幣が保管されていないことが、ボタン画像Ｂ１によって表される。またプロセッサ１０１は、Ａｃｔ５０として外部保管されていた貨幣が回収されたことを示す情報をジャーナルに記録するように制御する。情報は、例えば「保管庫の貨幣が回収されました」というテキストであってもよい。このとき、現在の日時を併せて記録するとよい。ジャーナルへの記録は、電子ジャーナルに対して電子的に行ってもよいし、ジャーナル用紙への印字によって行ってもよい。
【００６５】
このように本実施形態によれば、バラになった貨幣を収納するための第１収納部に収納されたバラ貨幣の枚数と、包装された貨幣を収納するための第２収納部に収納された包装貨幣の個数とを、金種別に表示デバイスの一画面に表示させることができる。ここで、第１収納部は、紙幣釣銭機１５Ａの金庫又は硬貨釣銭機１５Ｂの金庫である。第２収納部は、棒金ドロワ１５Ｃの収納庫である。表示デバイスは、タッチパネル１２Ｂである。したがって、バラ貨幣と包装貨幣との情報を一目で把握できるＰＯＳ端末１０の表示装置を提供することができる。
【００６６】
また、本実施形態によれば、表示デバイスの一画面に、金種の情報と、第１収納部に収納された当該金種のバラ貨幣の枚数と、第２収納部に収納された当該金種の包装貨幣の個数とを、並べて表示させることができる。したがって、金種別に、バラ貨幣の枚数と包装貨幣の個数とを一目で把握できる効果を奏する。
【００６７】
また、本実施形態によれば、第１収納部に収納された当該金種のバラ貨幣の枚数とともに、その枚数を表す第１画像と、枚数が所定の閾値枚数よりも多い又は少ないときには警告を表す第２画像とをさらに並べて表示させることができる。第１画像は、グラフＧ２である。第２画像は、アイコンＧ３１、アイコンＧ３２及びアイコンＧ３３である。したがって、金種毎に、バラ貨幣の収納枚数と収納容量との関係を一目で把握できる効果を奏する。
【００６８】
また、本実施形態によれば、第２収納部に収納された包装貨幣の個数を、当該個数が所定の閾値個数よりも少ないか否かによって異なる形態で表示させることができる。したがって、金種毎に、包装貨幣の個数が所定の閾値個数よりも少ない状況を一目で把握できる効果を奏する。
【００６９】
さらに、本実施形態によれば、第１収納部に収納されない貨幣を保管する保管庫に貨幣が保管されているか否かを表す第３画像を、表示デバイスの一画面の一部に表示させることができる。第３画像は、ボタン画像Ｂ１又はボタン画像Ｂ２である。したがって、保管庫に貨幣が保管されているか否かについても、一目で把握できる効果を奏する。
【００７０】
以上、バラ貨幣と包装貨幣との情報を一目で把握できる表示装置の実施形態について説明したが、かかる実施形態はこれに限定されるものではない。
【００７１】
前記実施形態では、コンビネーションキーボード１２を構成するタッチパネル１２Ｂを、バラ貨幣の情報と包装貨幣の情報とを表示するための表示デバイスとした。表示デバイスは、上記タッチパネル１２Ｂに限定されるものではない。例えばオペレータ用のタッチパネル１１を表示デバイスとし、その画面の一部に画像Ｐを表示させてもよい。
【００７２】
また、例えば釣銭機１５にディスプレイを設け、そのディスプレイに画像Ｐを表示させるようにしてもよい。この場合、釣銭機１５のプロセッサを取得部及び制御部として機能させる。そうすることにより、釣銭機１５を表示装置とすることができる。勿論、ＰＯＳ端末１０のプロセッサを取得部及び制御部として機能させて、ＰＯＳ端末１０表示装置としてもよいのは言うまでもないことである。
【００７３】
前記実施形態では、第１画像をグラフＧ２とし、第２画像をアイコンＧ３１、アイコンＧ３２及びアイコンＧ３３としたが、これに限らない。第１画像については、収納容量に対する収納枚数の割合が分かる画像であればよい。第２画像については、補充又は回収が必要であることを知らしめる画像であればよい。
【００７４】
前記実施形態では、第１乃至第４閾値Ｓ１〜Ｓ４を金種毎に設定している。閾値Ｓ１〜Ｓ４は、金種毎に設定されていなくてもよい。閾値Ｓ１〜Ｓ４は、各金種で共通としてもよい。
【００７５】
前記実施形態では、画像Ｐにカセット領域Ａ３、オーバーフロー領域Ａ４及び外部保管領域Ａ５を構成している。カセット領域Ａ３、オーバーフロー領域Ａ４及び外部保管領域Ａ５については、必ずしも画像Ｐの構成要素に含めなくてもよい。また、残量領域Ａ２の表示形態は、図４に示すものに限定されるものではない。要は、バラ貨幣と包装貨幣との情報を一目で把握できる表示形態であればよい。
【００７６】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１０…ＰＯＳ端末、１１…オペレータ用のタッチパネル、１２…コンビネーションキーボード、１２Ａ…キーボード、１２Ｂ…タッチパネル、１２Ｃ…カードリーダ、１３…プリンタ、１４…客用ディスプレイ、１５…釣銭機、１５Ａ…紙幣釣銭機、１５Ｂ…硬貨釣銭機、１５Ｃ…棒金ドロワ、１０１…プロセッサ、１０２…メインメモリ、１０３…補助記憶デバイス、１０４…スキャナインターフェース、１０５…通信ユニット、１０６…釣銭機インターフェース、１０７…デバイスインターフェース。
【図１】
2019152938.tif 000003
【図２】
2019152938.tif 000004
【図３】
2019152938.tif 000005
【図４】
2019152938.tif 000006
【図５】
2019152938.tif 000007
【図６】
2019152938.tif 000008
【図７】
2019152938.tif 000009
【図８】
2019152938.tif 000010